(57)【要約】【課題】ネットワークに接続されているＷｅｂサーバ装置に保持されている情報が、当該Ｗｅｂサーバ装置にアクセスして情報を入手することが許されている正規のクライントなどを介して外部に漏洩することを効果的に抑止できるネットワークからの情報漏洩を抑止するシステムを提案する。【解決手段】ネットワークを介してサーバ装置に利用許可を申し込んできたクライアントの認証を行う認証処理部と、クライアントからの利用要求情報に応じて当該利用要求情報で要求された情報を出力データとして作成する出力データ作成処理部と、クライアントからの利用要求情報に基づく利用状況に関する情報を、印刷されて特定の二次元バーコードリーダーで読み取られたときにのみ認識可能な二次元バーコード情報として作成する二次元バーコード情報作成処理部と、当該二次元バーコード情報を前記出力データに付加する二次元バーコード付加処理部と、二次元バーコード情報が付加された出力データを出力する出力処理部とをサーバ装置が備えているシステムによって課題を解決した。【選択図】　図２
2004046818.tif 000002
【特許請求の範囲】
【請求項１】
ネットワークを介して利用許可を申し込んできたクライアントの認証を行う認証処理部と、
当該クライアントからの利用要求情報に応じて、当該利用要求情報で要求された情報を出力データとして作成する出力データ作成処理部と、
当該クライアントからの利用要求情報に基づく利用状況に関する情報を、印刷されて特定の二次元バーコードリーダーで読み取られたときにのみ認識可能な二次元バーコード情報として作成する二次元バーコード情報作成処理部と、
当該二次元バーコード情報作成処理部によって作成された二次元バーコード情報を前記出力データ作成処理部で作成された出力データに付加する二次元バーコード付加処理部と、
前記二次元バーコード付加処理部によって二次元バーコード情報が付加された前記出力データを出力する出力処理部と
を備えていることを特徴とするネットワークからの情報漏洩を抑止するシステム。
【請求項２】
サーバ装置に保持されている情報が漏洩されることを抑止するシステムであって、ネットワークを介して当該サーバ装置に利用許可を申し込んできたクライアントの認証を行う認証処理部と、
当該クライアントからの利用要求情報に応じて、当該利用要求情報で要求された情報を出力データとして作成する出力データ作成処理部と、
当該クライアントからの利用要求情報に基づく利用状況に関する情報を、印刷されて特定の二次元バーコードリーダーで読み取られたときにのみ認識可能な二次元バーコード情報として作成する二次元バーコード情報作成処理部と、
当該二次元バーコード情報作成処理部によって作成された二次元バーコード情報を前記出力データ作成処理部で作成された出力データに付加する二次元バーコード付加処理部と、
前記二次元バーコード付加処理部によって二次元バーコード情報が付加された前記出力データを出力する出力処理部と
を前記サーバ装置が備えていることを特徴とするネットワークからの情報漏洩を抑止するシステム。
【請求項３】
二次元バーコード情報作成処理部は、少なくとも、前記利用許可を申し込んできたクライアントを特定する情報と、利用日時に関する情報とを、当該クライアントからの利用要求情報に基づく利用状況に関する情報に含めて当該利用状況に関する情報を作成する処理を行う処理部であることを特徴とする請求項１又は２記載のネットワークからの情報漏洩を抑止するシステム。
【請求項４】
二次元バーコード付加処理部は、前記出力データが印刷処理手段によって印刷された際に当該二次元バーコード情報も一緒に印刷されるように、二次元バーコード情報を前記出力データに付加する処理を行う処理部であることを特徴とする請求項１乃至３のいずれか一項記載のネットワークからの情報漏洩を抑止するシステム。
【請求項５】
出力データ作成処理部による出力データの作成は、画像情報として表示される情報及び／又はネットワークを介して利用許可を申し込んできたクライアントがネットワークを介してダウンロード可能な情報として当該出力データを作成する処理を行う処理部であることを特徴とする請求項１乃至４のいずれか一項記載のネットワークからの情報漏洩を抑止するシステム。
【発明の詳細な説明】
【０００１】
【発明の属する技術分野】
この発明は、ネットワークからの情報漏洩を抑止するシステムに関し、特に、インターネット、イントラネット、エクストラネット等のネットワークに接続されているＷｅｂサーバ装置に保持されている情報の漏洩を抑止するシステムに関する。
【０００２】
【従来の技術】
インターネットを企業など特定のグループ内の情報通信ネットワークとして利用するシステムであるイントラネット等においては、ＷＷＷサーバ装置を置いてＷｅｂページを作り、情報をグループ内の各クライアント端末に発信できるようにし、グループ内の各クライアントは、ブラウザなどの閲覧ソフトを用いて、情報を取り出せるようにしている。
【０００３】
このようなイントラネット等においては、前記ＷＷＷサーバ装置に保持されている情報が外部からの不正なアクセスによって漏洩することを防止するため、ファイアウォールを設置したり、外部からの不正アクセスを防止する種々の技術が採用されている。
【０００４】
【特許文献１】
特開２０００−２１５１６４
【０００５】
【発明が解決しようとする課題】
前記のようなイントラネット等のネットワークにおいて、ＷＷＷサーバ装置にアクセスして情報を取得することが許可されているグループ内（例えば、イントラネットが構築されている企業内）の正規のクライアント（例えば、イントラネットが構築されている企業内の社員）が正規の手続で入手した情報が、外部（グループの外）に漏洩してしまうことを効果的に防止する技術はこれまで特に提案されてこなかった。
【０００６】
これは、前記のような正規のクライアントは、そもそも、ＷＷＷサーバ装置に保持されている情報を秘密として守る何らかの義務（例えば、社内規則や、当該グループに入会する際に承諾する取決めなど）を負っている場合が多いため、特に対策を講じるまでもなかったことと、グループ外からの不正アクセスを防止し、ネットワークのセキュリティを高めることに主なる対策が講じられていたこと等によるものである。
【０００７】
しかし、ＷＷＷサーバ装置に保持されている情報が、例えば、病院における患者の病状などに関する情報のように、秘密性の高い情報である場合、これがグループ外に漏洩してしまうことを未然に防止することは重要な課題である。
【０００８】
そこで、この発明は、インターネット、イントラネット、エクストラネット等のネットワークに接続されているＷｅｂサーバ装置に保持されている情報が、当該Ｗｅｂサーバ装置にアクセスして情報を入手することが許されている正規のクライントなどを介して、外部に漏洩することを効果的に抑止できるネットワークからの情報漏洩を抑止するシステムを提案することを目的としている。
【０００９】
【課題を解決するための手段】
この発明は、Ｗｅｂサーバにアクセスして情報を取得した者が、当該取得した情報を印刷した場合に、前記Ｗｅｂサーバにアクセスして当該情報を取得した者を特定する情報と、当該情報が取得された日時を特定する情報とが含まれている情報が、特別な読み取り手段を介してのみ判読可能な状態であって、当該情報取得者には認識できない状態で一緒に印刷されるようにし、外部漏洩された情報を印刷すれば、前記特別な読み取り手段を用いることによって、当該情報が、だれによって、何時取得されたものであるかを、後追いで、確認、追跡可能にし、これによって、Ｗｅｂサーバに保持されている情報を意図的に外部に漏洩しようとする動きに対する抑止力とし、また、この抑止力によって、故意、過失にかかわらず、Ｗｅｂサーバに保持されている情報が外部に漏洩することを未然に防止して前記課題を解決せんとするものである。
【００１０】
すなわち、前記課題を解決するため、この発明が提案するネットワークからの情報漏洩を抑止するシステムは、ネットワークを介して利用許可を申し込んできたクライアントの認証を行う認証処理部と、当該クライアントからの利用要求情報に応じて、当該利用要求情報で要求された情報を出力データとして作成する出力データ作成処理部と、当該クライアントからの利用要求情報に基づく利用状況に関する情報を、印刷されて特定の二次元バーコードリーダーで読み取られたときにのみ認識可能な二次元バーコード情報として作成する二次元バーコード情報作成処理部と、当該二次元バーコード情報作成処理部によって作成された二次元バーコード情報を前記出力データ作成処理部で作成された出力データに付加する二次元バーコード付加処理部と、前記二次元バーコード付加処理部によって二次元バーコード情報が付加された前記出力データを出力する出力処理部とを備えていることを特徴とするものである。
【００１１】
これをより具体的に説明すれば、前記課題を解決するため、この発明が提案するネットワークからの情報漏洩を抑止するシステムは、サーバ装置に保持されている情報が漏洩されることを抑止するシステムであって、ネットワークを介して当該サーバ装置に利用許可を申し込んできたクライアントの認証を行う認証処理部と、当該クライアントからの利用要求情報に応じて、当該利用要求情報で要求された情報を出力データとして作成する出力データ作成処理部と、当該クライアントからの利用要求情報に基づく利用状況に関する情報を、印刷されて特定の二次元バーコードリーダーで読み取られたときにのみ認識可能な二次元バーコード情報として作成する二次元バーコード情報作成処理部と、当該二次元バーコード情報作成処理部によって作成された二次元バーコード情報を前記出力データ作成処理部で作成された出力データに付加する二次元バーコード付加処理部と、前記二次元バーコード付加処理部によって二次元バーコード情報が付加された前記出力データを出力する出力処理部とを前記サーバ装置が備えていることを特徴とするものである。
【００１２】
前記本発明のいずれのネットワークからの情報漏洩を抑止するシステムにおいても、二次元バーコード情報作成処理部は、少なくとも、前記利用許可を申し込んできたクライアントを特定する情報と、利用日時に関する情報とを、当該クライアントからの利用要求情報に基づく利用状況に関する情報に含めて当該利用状況に関する情報を作成する処理を行う処理部とすることができる。
【００１３】
更に、前記本発明のいずれのネットワークからの情報漏洩を抑止するシステムにおいても、二次元バーコード付加処理部は、前記出力データが印刷処理手段によって印刷された際に当該二次元バーコード情報も一緒に印刷されるように、二次元バーコード情報を前記出力データに付加する処理を行う処理部とすることができる。
【００１４】
以上の構成からなるネットワークからの情報漏洩を抑止するシステムによれば、Ｗｅｂサーバにアクセスして情報を取得した者が、当該取得した情報を印刷した場合に、前記Ｗｅｂサーバにアクセスして当該情報を取得した者を特定する情報と、当該情報が取得された日時を特定する情報とが含まれている二次元バーコード情報が、特別な読み取り手段（例えば、特定の二次元バーコードリーダー）を介してのみ判読可能な状態、すなわち、当該情報取得者には認識できない状態で、一緒に印刷されることになる。そこで、この特定の二次元バーコードリーダーで印刷物中に印刷されている二次元バーコード情報を読み取ることにより、外部漏洩された情報が、だれによって、何時Ｗｅｂサーバから取得されたものであるかを確認することが可能になる。
【００１５】
一方、前記の二次元バーコード情報は、印刷されて特定の二次元バーコードリーダーで読み取られたときにのみ認識可能なので、Ｗｅｂサーバにアクセスして当該情報を取得した者はこれを認識することができず、また、印刷物中から削除することもできない。
【００１６】
そこで、たとえ、Ｗｅｂサーバに保持されていた情報が外部に漏洩した場合であっても、当該情報漏洩に使用された印刷物、あるいは当該情報漏洩が電子データ等のみの形態で行われていてまだ印刷されていない場合には、その電子データ等の形態の情報をプリンタ等の印刷処理手段によって印刷した印刷物を、前記の特定の二次元バーコードリーダーで読み取ることにより、だれによって、何時Ｗｅｂサーバから取得された情報であるかを確実、正確に把握することができる。
【００１７】
そこで、本発明のシステムのこのような内容を、積極的に、イントラネット等のネットワークにおいて、ＷＷＷサーバ装置にアクセスして情報を取得することを許可されているグループ内（例えば、イントラネットが構築されている企業内）の正規のクライアント（例えば、イントラネットが構築されている企業内の社員）等に周知しておくことにより、Ｗｅｂサーバに保持されている情報を意図的に外部に漏洩しようとする動きを効果的に抑止することができる。また、これによって、故意、過失にかかわらず、Ｗｅｂサーバに保持されていた情報が正規のクライアント等を介して外部に漏洩することを効果的に抑制することができる。
【００１８】
前記本発明のいずれのネットワークからの情報漏洩を抑止するシステムにおいても、出力データ作成処理部による出力データの作成は、画像情報として表示される情報及び／又はネットワークを介して利用許可を申し込んできたクライアントがネットワークを介してダウンロード可能な情報として当該出力データを作成する処理を行う処理部とすることができる。
【００１９】
そこで、例えば、Ｗｅｂサーバにアクセスしたクライアントが、Ｗｅｂサーバ側に送信した利用要求情報に応じて出力データ作成処理部で作成された出力データが、当該クライアントによってネットワークを介してダウンロードされていく場合には、この出力データに二次元バーコード情報が付加されて行く。また、前記出力データが、ＨＴＭＬ（Ｈｙｐｅｒ　Ｔｅｘｔ　Ｍａｒｋｕｐ　Ｌａｎｇｕａｇｅ）によって作成されたファイルで画像表示されるだけの形態のもので、クライアントがその画像データをクライアントの端末装置に取り込んだ場合には、当該画像データをプリンタ等の印刷処理手段によって印刷すれば、前記二次元バーコード情報も印刷されることになる。
【００２０】
すなわち、いかなる形態であれ、Ｗｅｂサーバから取得されたデータには必ず二次元バーコード情報が付加されていることになり、当該データを印刷したものを二次元バーコードリーダーで読めば、二次元バーコード情報を介して、当該データが、何時、だれによってＷｅｂサーバから取得されたものであるかを確実に把握することができる。
【００２１】
前述した本発明のネットワークからの情報漏洩を抑止するシステムは、例えば、インターネット、イントラネット、エクストラネットなどのネットワークを介してアクセスしてきたクライアントの端末装置（例えば、パーソナルコンピュータ）との間で双方向通信可能であって、少なくとも、文字情報及び／又は画像情報を当該クライアントに見せる機能、あるいは、前記のネットワークを介してダウンロード可能な情報をクライアントの前記端末装置側へ提供する機能を有するＷｅｂサーバであって、前述した本発明のシステムの各処理を実行するアプリケーションが搭載されているコンピュータ、すなわちサーバマシンから構成することができる。
【００２２】
このサーバマシンが、ネットワークを介して利用許可を申し込んできたクライアントの認証を行う処理と、当該クライアントからの利用要求情報に応じて、当該利用要求情報で要求された情報を出力データとして作成する出力データ作成処理と、当該クライアントからの利用要求情報に基づく利用状況に関する情報を、印刷されて特定の二次元バーコードリーダーで読み取られたときにのみ認識可能な二次元バーコード情報として作成する二次元バーコード情報作成処理と、当該二次元バーコード情報を前記出力データに付加する二次元バーコード付加処理と、二次元バーコード情報が付加された出力データを出力する出力処理とをコンピュータに行わせるコンピュータプログラムを実行することによって前記本発明のシステムが実現されるのである。
【００２３】
また、前記のサーバマシンが、前記の二次元バーコード情報作成処理にあたって、少なくとも、利用許可を申し込んできたクライアントを特定する情報と、利用日時に関する情報とを、クライアントからの利用要求情報に基づく利用状況に関する情報に含めて当該利用状況に関する情報を作成する処理をコンピュータに行わせるコンピュータプログラムを実行することによって前記本発明のシステムが実現されるのである。
【００２４】
更に、前記のサーバマシンが、前記の二次元バーコード付加処理にあたって、出力データが印刷処理手段によって印刷された際に二次元バーコード情報も一緒に印刷されるように、二次元バーコード情報を出力データに付加する処理をコンピュータに行わせるコンピュータプログラムを実行することによって前記本発明のシステムが実現されるのである。
【００２５】
また、前記のサーバマシンが、前記の出力データを出力する出力処理にあたって、画像情報として表示される情報及び／又はネットワークを介して利用許可を申し込んできたクライアントがネットワークを介してダウンロード可能な情報として当該出力データを作成する処理をコンピュータに行わせるコンピュータプログラムを実行することによって前記本発明のシステムが実現されるのである。
【００２６】
【発明の実施の形態】
以下、添付図面を参照して本発明の好ましい実施形態を説明する。
【００２７】
図１は、本発明のシステムが採用されるシステム構成の概略を説明するものである。
【００２８】
クライアントの端末装置１が、ネットワーク２を介して、Ｗｅｂサーバ３に接続可能とされている。クライアントの端末装置１としては、例えば、パーソナルコンピュータなどのようにネットワーク２に接続され、Ｗｅｂサーバ３との間で双方向通信可能な種々の端末が採用され得る。ネットワーク２には、インターネットの他、イントラネット、エクストラネットなどのネットワーク環境が採用され得る。Ｗｅｂサーバ３としては、ネットワーク２を介してアクセスしてきたクライアントの端末装置１との間で双方向通信可能であって、少なくとも、文字情報及び／又は画像情報を当該クライアントに見せる機能、あるいは、ネットワーク２を介してダウンロード可能な情報を、クライアントの端末装置１側へ提供する機能を有するものであるならば総て採用可能である。なお、図１では、１台のクライアントの端末装置１しか表示されていないが、当然のように複数台のクライアント端末装置がＷｅｂサーバ３に接続可能である。
【００２９】
Ｗｅｂサーバ３は、以下に説明する本発明のシステムにおける処理を実行するアプリケーションが搭載されたコンピュータ、すなわちサーバマシンによって構成される。
【００３０】
図２、図３は、本発明のネットワークからの情報漏洩を抑止するシステムの処理フローの一例を説明するものである。
【００３１】
Ｗｅｂサーバ３の利用を求めるクライアントは、まず、利用許可を得るための所定の手続を行う。すなわち、認証システム１１で認証を受け、Ｗｅｂサーバ３を利用するために必要なＩＤ、パスワード等のクライアントを特定する情報を取得する。
【００３２】
こうして利用許可を得たクライアントは、その端末装置１から、ネットワーク２を介してＷｅｂサーバ３にアクセスし、利用許可を得た際に与えられていたクライアントを特定する情報（例えば、ＩＤ、パスワード等）を送信して利用可能な状態になることを求める（ステップ１０１）。
【００３３】
これを受けて、Ｗｅｂサーバ３内の認証処理部２１が、当該クライアントの認証を行う（ステップ１０２）。
【００３４】
認証を受けて、Ｗｅｂサーバ３の利用が可能な状態になったクライアントが、その端末装置１から、利用要求情報（例えば、「『事象Ａ』に関する情報を見たい」というようなリクエスト）を送信すると（ステップ１０３）、Ｗｅｂサーバ３内の出力データ作成処理部２２が、データベース２３を利用して、当該当該利用要求情報で要求された情報（（例えば、「『事象Ａ』に関する情報」）を出力データとして作成する（ステップ１０４）。
【００３５】
この際、Ｗｅｂサーバ３内の二次元バーコード情報作成処理部２４が、クライアントからの前記の利用要求情報に基づく利用状況に関する情報を、二次元バーコード情報として作成する（ステップ１０５）。この二次元バーコード情報は、印刷されて特定の二次元バーコードリーダーで読み取られたときにのみ認識可能なものである。すなわち、クライアントの端末装置１の画像表示手段（ディスプレイ等）に表示されている状態や、電子情報として取り扱われている状態、ただ単に印刷された状態では認識することのできないものである。
【００３６】
二次元バーコード情報作成処理部は、前記のように、クライアントからの前記の利用要求情報に基づく利用状況に関する情報を、印刷されて特定の二次元バーコードリーダーで読み取られたときにのみ認識可能な二次元バーコード情報として作成できる機能を有するものであればよい。すなわち、クライアントの端末装置１の画像表示手段（ディスプレイ等）に表示されている状態や、電子情報として取り扱われている状態、ただ単に印刷された状態では認識することのできない情報（二次元バーコード情報）であっても、印刷されている状態ならば読み取ることのできる機能を有するこの技術分野で公知の二次元バーコードリーダーでのみ読み取り可能なように、クライアントからの前記の利用要求情報に基づく利用状況に関する情報を、二次元バーコード情報に作成できるものであれば、種々のものを採用できる。
【００３７】
この二次元バーコード情報に作成される「クライアントからの利用要求情報に基づく利用状況に関する情報」には、少なくとも、利用許可を申し込んできたクライアントを特定する情報（例えば、ＩＤや氏名）と、利用日時に関する情報（例えば、何年何月何日の何時何分〜何時何分、というような利用日時に関する情報）が含まれるように前記の二次元バーコード情報作成処理部２４が二次元バーコード情報を作成する処理を行う。
【００３８】
すなわち、印刷された二次元バーコードを前記の二次元バーコードリーダーで読むことにより、当該二次元バーコードが付加されている情報が、何時、だれによってＷｅｂサーバから取得されたものであるかを確実に把握するために最低限必要な情報（すなわち、少なくとも、「利用許可を申し込んできたクライアントを特定する情報」と「利用日時に関する情報」）が含まれているように「クライアントからの利用要求情報に基づく利用状況に関する情報」が二次元バーコード情報として作成されるのである。
【００３９】
次いで、Ｗｅｂサーバ３内の二次元バーコード付加処理部２５が、二次元バーコード情報作成処理部２４によって作成された二次元バーコード情報を出力データ作成処理部２２で作成された出力データに付加する（ステップ１０６）。
【００４０】
この二次元バーコード付加処理部２５が行う出力データへの二次元バーコード情報付加処理は、出力データがプリンタ等の印刷処理手段によって印刷された際に当該二次元バーコード情報も一緒に印刷されるように、二次元バーコード情報を前記の出力データに付加する処理である。
【００４１】
次に、Ｗｅｂサーバ３内の出力処理部２６が、二次元バーコード付加処理部２５によって二次元バーコード情報が付加された出力データを出力する処理を行う（ステップ１０７）。
【００４２】
この際に、出力データ作成処理部２６による出力データの作成は、画像情報として表示される情報２７又は、ネットワークを介して利用許可を申し込んできたクライアントがネットワークを介してダウンロード可能な情報２８のいずれか、又は双方として作成するものである。
【００４３】
そこで、例えば、Ｗｅｂサーバ３にアクセスしたクライアントが、Ｗｅｂサーバ３側に送信した利用要求情報に応じて出力データ作成処理部２６で作成された出力データが、当該クライアントによってネットワークを介してダウンロードされていく場合、この出力データに二次元バーコード情報が付加されて行くことになる。また、前記出力データが、ＨＴＭＬ（Ｈｙｐｅｒ　Ｔｅｘｔ　Ｍａｒｋｕｐ　Ｌａｎｇｕａｇｅ）によって作成されたファイルで画像表示されるだけの形態のもので、クライアントがその画像データをクライアントの端末装置１に取り込んだ場合、当該画像データをプリンタ等の印刷処理手段によって印刷すれば、前記二次元バーコード情報も印刷されることになる。
【００４４】
すなわち、いかなる形態であれ、Ｗｅｂサーバ３から取得されたデータには必ず二次元バーコード情報が付加されていることになり、当該データを印刷したものを二次元バーコードリーダーで読めば、二次元バーコード情報を介して、当該データが、何時、だれによってＷｅｂサーバから取得されたものであるかを確実に把握することができる。
【００４５】
二次元バーコード情報作成処理部２４によって作成される二次元バーコードの形態としては、ＱＲコード（商標）、ＰＤＦ４１７（商標）、Ｄａｔａ　Ｍａｔｒｉｘ（商標）、Ｍａｘｉ　Ｃｏｄｅ（商標）などを採用することができる。
【００４６】
また、二次元バーコード情報作成処理部２４によって作成される二次元バーコードの表示を、クライアントからの利用要求情報（例えば、「『事象Ａ』に関する情報を見たい」というリクエストに基づいて、Ｗｅｂサーバ３から出力される情報である「事象Ａ」に関する情報）についての「台紙」の役割を果たすものとして使用することが可能である。
【００４７】
図４は、二次元バーコードＤａｔａ　Ｍａｔｒｉｘ（商標）を「台紙」として用い、これがシートに印刷された際にどのように表示されるかを示すものであり、図５は、二次元バーコードＱＲコード（商標）を「台紙」として用い、これがシートに印刷された際にどのように表示されるかを示すものである。図４、図５において、Ｗｅｂサーバ３から出力されるクライアントからの利用要求情報（例えば、「『事象Ａ』に関する情報を見たい」というリクエストに基づいて、Ｗｅｂサーバ３から出力される情報である「事象Ａ」に関する情報）は省略しているが、図４、図５のように表される「台紙」の上に、このクライアントからの利用要求情報（例えば、前記の場合、「事象Ａ」に関する情報）が表れるようになる。
【００４８】
なお、ＱＲコード（商標）、ＰＤＦ４１７（商標）、Ｄａｔａ　Ｍａｔｒｉｘ（商標）、Ｍａｘｉ　Ｃｏｄｅ（商標）などの二次元バーコード情報は表示濃度調整が可能なので、クライアントの端末装置１等のパーソナルコンピュータの画面上には二次元バーコード情報が表示されず（従って、画面上では、二次元バーコード情報が付加されていることを認識できない）、紙面上に印刷した場合に、図４、図５図示のような「台紙」としての二次元バーコード情報が印刷され、この上に、クライアントからの利用要求情報（例えば、「『事象Ａ』に関する情報を見たい」というリクエストに基づいて、Ｗｅｂサーバ３から出力される情報である「事象Ａ」に関する情報）が印刷されるようにすることができる。
【００４９】
以上、添付図面を参照して本発明の好ましい実施形態を説明したが、本発明は係る実施形態に限定されるものではなく、特許請求の範囲の記載から把握される技術的範囲において種々の形態に変更可能である。
【００５０】
例えば、二次元バーコード情報作成処理部２４によって二次元バーコード情報に作成される「クライアントからの利用要求情報に基づく利用状況に関する情報」には、少なくとも、利用許可を申し込んできたクライアントを特定する情報（例えば、ＩＤ、パスワード、氏名などの中のいずれか一種、又は、複数種など）と、利用日時に関する情報（例えば、何年何月何日の何時何分〜何時何分、というような利用日時に関する情報）とが含まれていれば、この他に、種々の情報、例えば、当該アプリケーション（ＡＰ）やデータベース（ＤＢ）の利用回数など、が含まれるようにすることができる。
【００５１】
また、本発明によれば、従来公知のネットワークシステムで採用されていた認証システム（例えば、Ｒａｄｉｕｓ（商標））や、ネットワーク利用者管理システム（例えば、ＬＤＡＰ）と、本発明における二次元バーコード情報（少なくとも、ＩＤ、パスワード、氏名のように利用許可を申し込んできたクライアントを特定する情報、利用日時に関する情報のようなクライアントからの利用要求情報に基づく利用状況に関する情報が、二次元バーコード情報とされているもの）とを組み合わせることにより、Ｐｕｂｌｉｃ　Ｋｅｙ　Ｉｎｆｒａｓｔｒｕｃｔｕｒｅ（公開鍵基盤、本明細書において「ＰＫＩ」と表すことがある）におけるデジタル認証局を設立しなくても、ＰＫＩにおいてデジタル認証を取り付けるのと同一の結果を得ることができる。
【００５２】
例えば、前述したＲａｄｉｕｓ（商標）のような認証システムや、ＬＤＡＰのようなネットワーク利用者管理システムによれば、従来公知のネットワークシステムでは、クライアントを特定する情報であるＵｓｅｒ　ＩＤとＵｓｅｒ　Ｐａｓｓｗｏｒｄとに基づいてＷｅｂサーバー３にアクセスしてくるクライアントに対して許可が行われている。
【００５３】
この利用許可は、図３のステップ１０２において行われ、クライアントからの利用要求があれば、その利用要求と利用時刻などがＷｅｂサーバー３内のログに記録される。
【００５４】
本発明のシステムにおいては、前述した構成に追加して、ネットワークのログオンからログアウトまでのネットワーク接続時間（利用時間）＝Ｘ時間がＷｅｂサーバー３内においてログ情報と呼ばれる記録に記載される、一方、Ｗｅｂサーバー３で前記のように把握している利用日時に関する情報（何年何月何日の何時何分〜何時何分という利用日時に関する情報）によるアプリケーション（ＡＰ）利用時間＝Ｙ時間も利用履歴に記載され、このＸ時間とＹ時間とを比較する処理動作がＷｅｂサーバー３内で行われる。
【００５５】
この比較処理の結果、Ｘ＞Ｙの範囲に収まっているときには、前述したログインとログアウトとの間の時間差をネットワーク規定で狭めることにより、このＸ＞Ｙの範囲を特定し、前述した図３のステップ１０２においてクライアントが許可を受けることができ、クライアントがネットワークや、ある特定のアプリケーション（ＡＰ）を「利用してよい」という認証を受けたと判断することが可能になる。
【００５６】
一方、前述した二次元バーコード情報作成処理部２４においては、前記で認定した「クライアントがネットワークや、ある特定のアプリケーションを『利用してよい』という認証を受けたとの判断」＝「ネットワーク利用許可情報」及び、利用時間でいう一種のタイムスタッフとが、更に、二次元バーコード情報に含まれるように処理動作を行わせることができる。
【００５７】
これにより、二次元バーコード情報に含まれている前記のネットワーク利用許可情報とタイムスタッフと、Ｗｅｂサーバ３内に保存されているアプリケーション利用履歴とにより、デジタル認証を受けたのと同等の価値を有する証拠物件にすることが可能になる。すなわち、このようにすれば、ＰＫＩにおけるデジタル認証局を設立しなくても、ＰＫＩにおいてデジタル認証を取り付けるのと同一の結果を得ることができるのである。
【００５８】
【発明の効果】
以上説明したネットワークからの情報漏洩を抑止する本発明のシステムによれば、Ｗｅｂサーバにアクセスして情報を取得した者が当該取得した情報を印刷した場合に、前記Ｗｅｂサーバにアクセスして当該情報を取得した者を特定する情報と、当該情報が取得された日時を特定する情報とが含まれている二次元バーコード情報が、印刷されて特定の二次元バーコードリーダーで読み取られたときにのみ認識可能な状態、すなわち、当該情報取得者には認識できない状態で、一緒に印刷される。そこで、この特定の二次元バーコードリーダーで印刷物中に印刷されている二次元バーコード情報を読み取ることにより、情報の外部漏洩に使用された当該印刷物に印刷されている情報が、だれによって、何時、Ｗｅｂサーバから取得されたものであるかを後追いで確実に確認できる。
【００５９】
一方、前記の二次元バーコード情報は、印刷されて特定の二次元バーコードリーダーで読み取られた時のみ認識可能なので、Ｗｅｂサーバにアクセスして当該情報を取得した者はこれを認識することができず、また、印刷物中から削除することもできない。
【００６０】
そこで、たとえ、Ｗｅｂサーバに保持されていた情報が外部に漏洩した場合であっても、当該情報漏洩に使用された印刷物、あるいは当該情報漏洩が電子データ等のみの形態で行われていてまだ印刷されていない場合には、その電子データ等の形態の情報をプリンタ等の印刷処理手段によって印刷した印刷物を、前記の特定の二次元バーコードリーダーで読み取ることにより、だれによって、何時Ｗｅｂサーバから取得された情報であるかを確実、正確に把握できる。
【００６１】
本発明のシステムのこのような特徴を積極的に周知しておくことにより、Ｗｅｂサーバに保持されていた情報を意図的に外部に漏洩した者は、後に必ず突き止められてしまうので、このような意図的な情報漏洩を効果的に抑止することができる。また、これによって、Ｗｅｂサーバから情報を得た者は、自分のところから他へ情報が漏洩することがないように注意するようになるので、過失に因る情報漏洩も未然に防止できる効果がある。
【図面の簡単な説明】
【図１】本発明のシステムが採用されるシステム構成の一例の概略図。
【図２】本発明のシステムの処理フローの一例を説明する図。
【図３】本発明のシステムの処理フローの一例。
【図４】「台紙」として用いられた二次元バーコードがシートに印刷された際にどのように表示されるかを例示する図。
【図５】「台紙」として用いられた他の二次元バーコードがシートに印刷された際にどのように表示されるかを例示する図。
【符号の説明】
１　クライアントの端末装置
２　ネットワーク
３　Ｗｅｂサーバ
１１　認証システム
２１　認証処理部
２２　出力データ作成処理部
２３　データベース
２４　二次元バーコード情報作成処理部
２５　二次元バーコード付加処理部
２６　出力処理部
【図１】
2004046818.tif 000003
【図２】
2004046818.tif 000004
【図３】
2004046818.tif 000005
【図４】
2004046818.tif 000006
【図５】
2004046818.tif 000007